(57)【要約】【課題】  最低着座時間以上カウントして便器洗浄確定後、離座した使用者が座り直して、直ぐに立ち上がるというような場合自動洗浄する。【解決手段】  着座時間が自動便器洗浄確定に必要な最低着座時間以上で便器洗浄が確定が確定されて離座後所定時間経過後に便器の自動洗浄を行うようにすると共に、着座時間が最低着座時間未満の場合には離座後所定時間経過しても自動洗浄を行わないようにした自動便器洗浄装置である。最低着座時間以上がカウントされて便器洗浄が確定した後に、離座から上記自動洗浄開始までの所定時間の間に新たな着座と新たな離座とを検知し、且つ、該新たな着座から新たな離座までの時間が上記最低着座時間に満たない場合にこれをキャンセルして直前の便器洗浄確定に基いて直前の離座から所定時間経過後に自動洗浄するように制御する制御部１を設ける。【選択図】        図１
2006002487.tif 000002
【特許請求の範囲】
【請求項１】
着座時間が自動便器洗浄確定に必要な最低着座時間以上カウントされることで自動便器洗浄が確定されて離座後所定時間経過後に便器の自動洗浄を行うようにすると共に、着座時間が最低着座時間未満の場合には離座後所定時間経過しても自動洗浄を行わないようにした自動便器洗浄装置において、最低着座時間以上がカウントされて自動便器洗浄が確定した後に、離座から上記自動洗浄開始までの所定時間の間に新たな着座が検知されるとこの新たな着座時間に関係なく自動便器洗浄の開始時刻が次の離座から所定時間経過後にずれて便器の自動洗浄が行われるように制御する制御部を設けて成ることを特徴とする自動便器洗浄装置。
【請求項２】
着座センサによる着座信号の制御部への入力から一定時間以上経過した際にのみ着座であることを検知するように設定し、この着座を検知するための一定時間が自動便器洗浄確定に必要な最低着座時間未満であることを特徴とする請求項１記載の自動便器洗浄装置。
【発明の詳細な説明】
【技術分野】
【０００１】
本発明は、便器の自動洗浄を行うための自動便器洗浄装置に関するものである。
【背景技術】
【０００２】
従来から便器の自動洗浄を行うに当たって、使用者が便座に最低着座時間以上着座した後、離座し、離座後所定時間後に洗浄水を便器内に自動的に供給して洗浄するようにした自動便器洗浄装置が例えば特許文献１により知られている。
【０００３】
この特許文献１のような従来例は例えば、図２に示すように着座後最低着座時間Ｔ１（例えば１０秒）以上経過して離座すると、離座から所定時間Ｔ２（例えば１０秒）後に便器洗浄がオンとなって便器洗浄が自動的に実施され、便器洗浄オン後に所定時間経過した後、便器洗浄オフとなって便器洗浄が自動的に終了するように制御されるようになっている。
【０００４】
ところが、従来例においては、図５のように、着座後最低着座時間Ｔ１（例えば１０秒）以上経過して離座した場合、離座から所定時間Ｔ２（例えば１０秒）経過するまでの間（つまり自動洗浄が開始される前）に再び着座し、その後、離座すると、それが直前の離座（最初の離座）から最低着座時間Ｔ１（例えば１０秒）以内であれば、自動便器洗浄がキャンセルされ、自動便器洗浄を行わないものであった。これは、２回目の着座が自動便器洗浄を確定させるための最低着座時間Ｔ１（例えば１０秒）以下であったためである。この最低着座時間Ｔ１（例えば１０秒）は着座センサ（着座したことを検知するセンサ）が掃除の時等に人体を誤検知して自動便器洗浄が動作しないようにするために、ある一定の時間である最低着座時間Ｔ１（例えば１０秒）連続して着座を検知しないと自動便器洗浄が確定しないように設定してある。
【０００５】
このように、従来にあっては、着座後最低着座時間Ｔ１以上経過して便器洗浄確定後に、離座した使用者が座り直して、直ぐに再度立ち上がるというような場合自動便器洗浄が行われないという問題があった。
【特許文献１】実開平７−２９０７４号公報
【発明の開示】
【発明が解決しようとする課題】
【０００６】
本発明は上記の従来の問題点に鑑みて発明したものであって、着座時間が最低着座時間以上カウントされて便器洗浄確定後に、離座した使用者が座り直して、直ぐに再度立ち上がるというような場合であっても自動洗浄を確実に行うことができる自動便器洗浄装置を提供することを課題とするものである。
【課題を解決するための手段】
【０００７】
上記課題を解決するために本発明に係る自動便器洗浄装置は、着座時間が自動便器洗浄確定に必要な最低着座時間以上カウントされることで自動便器洗浄が確定されて離座後所定時間経過後に便器の自動洗浄を行うようにすると共に、着座時間が最低着座時間未満の場合には離座後所定時間経過しても自動洗浄を行わないようにした自動便器洗浄装置において、最低着座時間以上がカウントされて自動便器洗浄が確定した後に、離座から上記自動洗浄開始までの所定時間の間に新たな着座が検知されるとこの新たな着座時間に関係なく自動便器洗浄の開始時刻が次の離座から所定時間経過後にずれて便器の自動洗浄が行われるように制御する制御部１を設けて成ることを特徴とするものである。
【０００８】
このような構成とすることで、最低着座時間以上がカウントされて便器洗浄が確定した後に、離座から自動洗浄が開始されるまでの所定時間の間に、新たな着座が検知されてもこの新たな着座時間に関係なく、例えば、新たな再度の着座時間が自動便器洗浄確定に必要な最低着座時間に満たない場合でも、新たな離座から所定時間経過後に便器の自動洗浄が行われるものであり、これにより、着座後最低着座時間Ｔ１以上経過して便器洗浄確定後に、離座した使用者が座り直して、直ぐに再度立ち上がるというような場合であっても、便器を自動洗浄できるものである。
【０００９】
また、着座センサ２による着座信号の制御部１への入力から一定時間Ｔ３以上経過した際にのみ着座であることを検知するようになっており、この着座を検知するための一定時間Ｔ３が自動便器洗浄確定に必要な最低着座時間Ｔ３未満であることが好ましい。
【００１０】
このような構成とすることで、掃除などのために瞬間的に便座に触れたりして瞬間的に着座センサ、あるいは着座センサ２による着座信号が制御部１に入力しても、一定時間Ｔ３以上経過していなければ、着座の検知として判定せず、したがって、瞬間的に便座に触れた場合など、誤って、着座検知として認定せず、誤動作を防止できるものである。
【発明の効果】
【００１１】
本発明は、最低着座時間以上カウントされて便器洗浄確定後に離座した使用者が座り直して、直ぐに再度立ち上がるというような場合であっても自動洗浄が確実に行われるものである。
【発明を実施するための最良の形態】
【００１２】
以下、本発明を添付図面に示す実施形態に基いて説明する。
【００１３】
図１には本発明の制御ブロック図が示してある。図中２は着座センサ、３は自動洗浄入切スイッチ、４は制御部１に設けた自動便器洗浄確定タイマー、５は制御部１に設けた便器洗浄確定・供給手段である。
【００１４】
本発明において、自動洗浄入切スイッチ３がオンの場合にのみ洗浄水を便器に供給して自動便器洗浄が可能となる状態となっている。また、自動洗浄入切スイッチ３がオフの場合には自動便器洗浄はできず、この場合には手動スイッチや手動レバー等の手動操作部（図示せず）を手で操作することで便器内に洗浄水を供給して便器洗浄を行うようになっている。
【００１５】
着座センサ２は便座に使用者が着座すると信号（着座信号）を制御部１に入力し、また、使用者が便座から離座すると離座信号を制御部１に入力するようになっている。
【００１６】
ここで、本発明においては、着座センサ２で着座信号を制御部１に入力すると、着座確定タイマー６により着座信号の入力からカウントを開始し、一定時間Ｔ３（例えば２秒又は３秒程度）以上経過した場合に始めて着座として検知する（つまり着座確定をする）ようになっている。
【００１７】
自動洗浄入切スイッチ３がオンとなっている状態で、使用者が便座に着座すると、着座センサ２により着座信号が制御部１に入力し、この着座信号が制御部１に入力されると、上記自動便器洗浄確定タイマー４により着座時間のカウントが開始されるようになっており、該自動便器洗浄確定タイマー４により着座時間があらかじめ設定された自動便器洗浄確定に必要な最低着座時間Ｔ１（例えば１０秒）以上カウントされると制御部１に設けた便器洗浄確定・供給手段５により便器洗浄が確定され、該便器洗浄の確定後に着座センサ２により離座の検知信号が制御部１に入力されると離座後所定時間Ｔ２（例えば１０秒）経過後に、制御部１からの制御信号により洗浄水供給管路に設けた電磁弁のような洗浄水供給弁７を開いて洗浄水を便器内に自動的に供給し、洗浄水の供給開始から一定時間経過後または一定量の洗浄水の供給がなされて便器洗浄が行われると上記洗浄水供給弁７を閉じて洗浄水の供給が自動的に停止されるようになっている（図２参照）。
【００１８】
ここで、上記のように自動便器洗浄確定タイマー４により着座時間があらかじめ設定された自動便器洗浄確定に必要な最低着座時間Ｔ１（例えば１０秒）以上カウントされ、便器洗浄確定・供給手段５により便器洗浄が確定され、該便器洗浄の確定後に着座センサ２により離座の検知信号が制御部１に入力されてから、自動洗浄が始まる離座後所定時間Ｔ２（例えば１０秒）の間に、再び着座すると着座センサ２によりこれを検知し制御部１に着座信号が入力される。このように、離座から上記自動洗浄開始までの所定時間Ｔ２の間に新たな着座が検知されると着座時間に関係なく自動便器洗浄の開始時刻が次の離座から所定時間Ｔ２経過後にずれて便器の自動洗浄が行われるように制御部１により制御するようになっている。
【００１９】
つまり、最低着座時間Ｔ１以上がカウントされて自動便器洗浄が確定した後に、離座から上記自動洗浄開始までの所定時間Ｔ２の間に新たな再度の着座が検知されると、この新たな再度の着座から再度の離座までの時間が最低着座時間Ｔ１未満であっても、最低着座時間Ｔ１以上であっても、いずれの場合も、図３に示すように上記再度の離座から所定時間Ｔ２経過後に始めて洗浄水が便器に供給されて自動便器洗浄が行われるのである。
【００２０】
ところで、用を足すために着座した場合でない場合にも、着座センサ２から着座信号が制御部１に入力されることがある。例えば、掃除の際に便座に一時的に触れたり、あるいは用を足して離座した後に一時的に座り直したりした場合も着座センサ２により一瞬着座を検出する場合がある。このように、用を足すために着座した場合以外でも着座センサ２が着座を検出することがあるので、本発明においては、着座センサ２からの着座信号の制御部１への入力で着座確定タイマ６によるカウントを開始し、一定時間Ｔ３（例えば２秒又は３秒程度）以上経過した場合に始めて制御部１において着座を検知する（つまり着座確定をする）ようになっている。上記一定時間Ｔ３は前述の自動便器洗浄確定に必要な最低着座時間Ｔ１未満となっている。
【００２１】
これにより、上記した自動便器洗浄が確定した後に、離座から上記自動洗浄開始までの所定時間Ｔ２の間に新たな再度の着座信号が制御部１に入力されて着座が確定された場合に、再度の離座から所定時間Ｔ２経過後に始めて洗浄水が便器に供給されて自動便器洗浄が行われるものである。したがって、図４のように、着座センサ２からの信号が制御部１に入力しても上記一定時間Ｔ３（例えば２秒又は３秒）未満の間に離座した場合には着座でないと判定されてこの場合には、自動便器洗浄が確定した後に、離座から上記自動洗浄開始までの所定時間Ｔ２の間に新たな再度の着座と離座とが上記一定時間未満の場合には、着座と見なされず、直前の離座から所定時間Ｔ２後に便器に洗浄水が自動的に供給されて便器自動洗浄が行われる。
【図面の簡単な説明】
【００２２】
【図１】本発明の制御ブロック図である。
【図２】同上の自動便器洗浄が確定した後に離座から自動洗浄開始までの所定時間の間に新たな着座が検知されない場合のタイムチャートである。
【図３】同上の自動便器洗浄が確定した後に離座から自動洗浄開始までの所定時間の間に新たな着座が検知された場合のタイムチャートである。
【図４】同上の自動便器洗浄が確定した後に離座から自動洗浄開始までの所定時間の間に瞬間的に着座、離座が行われた場合のタイムチャートである。
【図５】従来例の自動便器洗浄が確定した後に離座から自動洗浄開始までの所定時間の間に新たな着座が検知された場合のタイムチャートである。
【符号の説明】
【００２３】
１  制御部
２  着座センサ
【図１】
2006002487.tif 000003
【図２】
2006002487.tif 000004
【図３】
2006002487.tif 000005
【図４】
2006002487.tif 000006
【図５】
2006002487.tif 000007